(57)【要約】【課題】装置を置き忘れた場合等に内部記憶情報が不当に流出するのを防止し得る可搬型情報表示装置を提供する。【解決手段】表示部２と操作部３と、内部情報記憶部６ａを有する本体部１の他に、本体部１の装着部４ａに脱着し得るセキュリティキー１０を備え、セキュリティキー１０はデータ送信部１５を有し、このセキュリティキー１０がセキュリティキー装着部４ａに装着された状態で、データ送信部１５から所定のデータが本体部１のデータ受信部７に送信され、このセキュリティキー１０からの所定のデータを受信することにより、内部記憶情報に関する所定動作の実行を可能とする。セキュリティキー１０が装着されていない状態では、本体部１の装着部３を操作しても、所定動作の実行を開始しない。【選択図】      図１
2004220482.tif 000002
【特許請求の範囲】
【請求項１】
内部記憶情報を記憶する記憶手段と、記憶している内部記憶情報を表示可能な表示手段とを備えた可搬型情報表示装置であって、
データ送信部を備えたセキュリティキーを装着する装着部を備え、この装着部にセキュリティキーが装着され、このセキュリティキーから所定のデータを受信することにより、内部記憶情報に関する所定動作の実行を可能とする制御手段を備えたことを特徴とする可搬型情報表示装置。
【請求項２】
前記装着部にセキュリティキーを装着した際、導電体の接触により、装着部からセキュリティキーに対し、データ送信用の電力が供給されることを特徴とする請求項１記載の可搬型情報表示装置。
【請求項３】
内部記憶情報を記憶する記憶手段と、記憶している内部記憶情報を表示可能な表示手段とを備えた可搬型情報表示装置であって、
電波を発信する電波発信部と、セキュリティキーから空間を介して所定のデータを受信するデータ受信部と、データ受信部で所定のデータを受信することにより、内部記憶情報に関する所定動作の実行を可能にする制御手段と、を備えることを特徴とする可搬型情報表示装置。
【請求項４】
前記セキュリティキーは、電波発信部から発した電波によりデータ送信用の電力を生成する手段を備えることを特徴とする請求項３記載の可搬型情報表示装置。
【請求項５】
前記制御手段は、所定時間毎にセキュリティキーとの通信確認を行い、所定回数続けて通信が成立しない場合に、本体の電源をＯＦＦすることを特徴とする請求項３記載の可搬型情報表示装置。
【発明の詳細な説明】
【０００１】
【発明の属する技術分野】
この発明は、ＰＤＡ（携帯型情報端末装置）や電子ペーパーなどの可搬型情報表示装置に関する。
【０００２】
【従来の技術】
ＰＤＡや電子ペーパーなどの可搬型情報表示装置は、画像データ、テキストデータなどの内部記憶情報を記憶手段に記憶しており、必要に応じ、この内部記憶情報を表示手段に表示することができ、システムに接続すれば、他の装置に内部記憶情報を転送したり、他からアクセスできる。そのため、時には持主の意に反して、内部記憶情報が不当に流出するおそれもある。これらのおそれを回避するために、秘匿すべき個人情報等のデータはＩＣカードに記憶しておき、このＩＣカード内のデータをシステム部からアクセスする場合には、別に設けたセキュリティボタンが操作されたときにのみ、ゲート回路を開いてシステム部からのＩＣカード制御信号を伝送するＩＣカード制御信号線を電気的に接続し、セキュリティボタンの操作無しにはＩＣカードをアクセスできないようにした携帯端末装置が提案されている（例えば、特許文献１参照）。
【０００３】
【特許文献１】
特開２００１−２６８６４７号公報
【０００４】
【発明が解決しようとする課題】
ＰＤＡや電子ペーパーは、しばしば置き忘れすることがあり、持主の管理から離れることがある。この場合、第三者によって内部記憶情報が不当に流出されるおそれがある。上記した特許文献１に記載の携帯端末装置では、本人が所持している限り、システムからのアクセスなどによる漏出は妨げられるが、置き忘れるとセキュリティボタンも本体に一体に附設されているので、第三者のセキュリティボタン操作による不正使用を防止することができない。
【０００５】
この発明は上記問題点に着目してなされたものであって、装置を置き忘れた場合等で内部記憶情報が不当に流出されるのを防止し得る可搬型情報表示装置を提供することを目的とする。
【０００６】
【課題を解決するための手段】
この発明の可搬型情報表示装置は、内部記憶情報を記憶する記憶手段と、記憶している内部記憶情報を表示可能な表示手段とを備えたものであって、データ送信部を備えたセキュリティキーを装着する装着部を備え、この装着部にセキュリティキーが装着され、このセキュリティキーから所定のデータを受信することにより、内部記憶情報に関する所定動作の実行を可能とする制御手段を備えている。
【０００７】
この可搬型情報表示装置において、前記装着部にセキュリティキーを装着した際、導電体の接触により、装着部（本体）からセキュリティキーに対し、データ送信用の電力が供給されることとすると良い。このようにすると、セキュリティキーにデータ送信用の電源を搭載する必要がなく、セキュリティキーの小型化及び軽量化が可能となる。
【０００８】
また、この発明の可搬型情報表示装置は、内部記憶情報を記憶する記憶手段と、記憶している内部記憶情報を表示可能な表示手段とを備えたものであって、電波を発信する電波発信部と、セキュリティキーから空間を介して所定のデータを受信するデータ受信部と、データ受信部で所定のデータを受信することにより、内部記憶情報に関する所定動作の実行を可能にする制御手段とを備えている。
【０００９】
この可搬型情報表示装置において、前記セキュリティキーは、電波発信部から発した電波によりデータ送信用の電力を生成する手段を備えることができる。このように構成しても、やはりセキュリティキーにデータ送信用の電源を構成する必要がなく、セキュリティキーの小型化、及び軽量化が可能となる。
【００１０】
また、この可搬型情報表示装置において、前記制御手段は、所定時間毎にセキュリティキーとの通信確認を行い、所定回数続けて通信が成立しない場合に、本体の電源をＯＦＦすることもできる。これにより、本体電源をＯＮしたまま置き忘れた場合であっても、第三者による内部情報の流出を防止することができる。
【００１１】
【発明の実施の形態】
以下、実施の形態により、この発明を更に詳細に説明する。図１は、この発明の一実施形態であるＰＤＡ（携帯型情報端末装置）を示す平面図である。この実施形態ＰＤＡは、本体部１とセキュリティキー１０とから構成されている。本体部１は外部に表示部２と操作部３を有するとともに、セキュリティキー１０を装着するセキュリティキー装着部４を備えている。この実施形態ＰＤＡは、本体部１のセキュリティキー装着部４に、セキュリティキー１０を装着した状態で動作を可能としている。この実施形態ＰＤＡは、この点に特徴がある。
【００１２】
本体部１には、図２に示すように、回路部として主制御部１ａと、表示部２と、操作部３と、ＲＯＭ５と、ＲＡＭ６と、データ受信部７と、内部電源８と、電力供給部９とを備えている。主制御部１ａは、ＲＯＭ５に記憶しているプログラムに従い、装置全体の各部を制御する。表示部２は入力されたデータや処理されたデータ、記憶されているデータ等、種々のデータを表示する。操作部３は、いくつかのキーを備え、データの入力や処理の指令を入力する。ＲＯＭ５は主制御部１ａで実行するプログラムを記憶している。ＲＡＭ６は処理時のデータ等を一時的に記憶する。また、ＲＡＭ６は内部情報記憶部６ａを有し、保存を必要とする種々の内部記憶情報を記憶する。データ受信部７はセキュリティキー１０が本体部１に装着されたときに、セキュリティキー１０からのデータを受信する。内部電源８は電池等が使用され、回路各部に電源電圧を供給する。電力供給部９は導電体を有し、セキュリティキー１０が装着された時に、セキュリティキー１０の電力受給部１２の導電体と接触することにより、内部電源８の電源電圧をセキュリティキー１０に供給する。
【００１３】
セキュリティキー１０は、ボディ１０ａにＩＣタグ１１を埋設するとともに、先端部に本体部１の電力供給部９と接触させるための電力受給部１２を設けている。この電力受給部１２にも、電気的接続用の導電体を有する。セキュリティキー１０は、回路構成として、図３に示すように、電力受給部１２と、ＣＰＵ１３と、データ記憶部１４と、データ送信部１５とを備えている。データ記憶部１４には、セキュリティキー１０が本体部１に装着されたときに送信するためのデータ（記憶情報）が記憶されている。ＣＰＵ１３、データ記憶部１４、データ送信部１５はＩＣタグ１１に内蔵され、電力受給部１２と電気的に接続されている。
【００１４】
この実施形態ＰＤＡでは、セキュリティキー１０を本体部１に装着しない状態で、本体部１の操作部３の操作を行っても、本体部１は動作せず、データ入力を行ったり、内部記憶情報を表示したり、内部記憶情報を変更したり、内部記憶情報を外部に送出したりすることができない。
【００１５】
セキュリティキー１０を本体部１のセキュリティキー装着部４に装着すると、本体部１の電力供給部９とセキュリティキー１０の電力受給部１２が接触し、本体部１の内部電源８から電力供給部９を経て、電力受給部１２に電源電圧が供給され、セキュリティキー１０の回路部に電源電圧が加わる。ＣＰＵ１３からの指令でデータ記憶部１４のデータが読み出され、データ送信部１５より送出される。
【００１６】
本体部１では、セキュリティキー１０のデータ送信部１５からのデータをデータ受信部７で受信し、主制御部１ａに取り込む。主制御部１ａは、このデータを受信し、予め記憶していたデータ（認証情報）との照合の結果、両者が一致すると、本体部１の動作禁止状態を解除し、動作可能状態とする。
【００１７】
図４は、この発明の他の実施形態であるＰＤＡを示す平面図である。この実施形態ＰＤＡも、本体部１とセキュリティキー１０とから構成される点で、図１に示したものと同様であるが、図１のＰＤＡはセキュリティキー１０を本体部１に装着してデータを本体部１に送信するものであるに対し、この実施形態では、セキュリティキー１０を本体部１に装着するものではなく、電波でデータ（認証情報）を本体部１に送信する点で相違する。
【００１８】
この実施形態ＰＤＡの本体部１は、図５に示すように、主制御部１ａと、表示部２と、操作部３と、ＲＯＭ５と、ＲＡＭ６と、データ受信部７と、内部電源８と、電波発信部９とを備えている。データ受信部７は電波（無線）でセキュリティキー１０からのデータ（認証情報）を受信する。電波発信部９ａは電波でセキュリティキー１０に電力を供給する。その他の回路部は、図２に示したものと同様である。
【００１９】
この実施形態ＰＤＡのセキュリティキー１０は、図６に示すように、ＣＰＵ１３と、データ記憶部１４と、データ送信部１５と、電波受信部１６とを備えている。データ送信部１５は電波（無線）でデータ（認証情報）を本体部１に送信する。電波受信部１６は本体部１から電波で電力供給を受ける。すなわち、電波受信部１６は、本体部１から受信した電波により電源（本体部１に対して認証情報を送信するための電源等）を生成する内部電源生成部１７を備えている。例えば、内部電源生成部１７は受信電波により発生した微弱電流を使って内部電源を生成する。その他の回路部は、図３に示したものと同様である。
【００２０】
この実施形態ＰＤＡにおいて、本体部１の操作部３の動作のためのキーを操作すると、主制御部１ａの指令により、電波発信部９ａより電波を発信する。セキュリティキー１０が本体部１の近傍に置かれている場合には、すなわち、セキュリティキー１０が本体部１から所定距離近くにある場合には、この電波がセキュリティキー１０の電波受信部１６により所定以上の強度で受信され、セキュリティキー１０に電力が供給されることになる。そして、この電力を用いてＣＰＵ１３の指令で、データ記憶部１４からデータを読み出し、このデータがデータ送信部１５より、本体部１に送信され、本体部１のデータ受信部７で受信される。このデータが主制御部１ａに取り込まれ、主制御部１ａは、受信したデータと予め記憶していた認証情報との照合の結果、両者が一致すると、動作禁止状態を解除し、以降の装置の動作を許可する。
【００２１】
本体部１が何らかの理由で持主から離れると、セキュリティキー１０が本体部１の近傍に存しなくなる。そのため電波発信部９ａからの電波はセキュリティキー１０に届かず、したがってセキュリティキー１０からのデータが本体部１に送信されない。そのため主制御部１ａによって装置の動作は許可されないままとなる。
【００２２】
この実施形態ＰＤＡにおいて、本体部１の主制御部１ａは、所定時間毎にセキュリティキー１０との通信確認を行い、所定回数続けて通信が成立しない場合には、本体の電源を強制的にＯＦＦする。すなわち、主制御部１ａは、本体電源がＯＮとなっている間、常時セキュリティキー１０との通信が成立するか否かを監視し、通信が成立しなくなれば、本体電源を強制的にＯＦＦする。ここで通信確認とは、所定時間毎に電波発生部９ａから電波を発信し、所定時間以内にデータ受信部７においてセキュリティキー１０から所定のデータ（認証情報）を受信できるか否かを確認することである。この通信確認は、本体部１の操作中も含めて電源ＯＮ状態で常時行うこともできる。また、本体部１に対する操作がなくなった場合、すなわち本体部１に対する新たな操作が所定時間行われなくなった場合に、通信確認を開始することもできる。これにより、本体電源をＯＮしたまま置き忘れた場合であっても、第三者による内部記憶情報の流出を防止することができる。なお、上記実施形態は、ＰＤＡ（携帯型情報端末装置）について説明したが、同様の構成である電子ペーパに本発明を適用することも可能である。またＰＤＡ及び電子ペーパ以外であっても、持ち運びが可能な種々の情報表示装置に適用することができる。
【００２３】
また、上記各実施形態において、セキュリティキー１０から所定のデータを受信しない場合には、本体部１の動作を全て不可とすることもできるが、本体部１の一部の動作（セキュリティに関する動作のみ）を不可とすることもできる。
【００２４】
また、上記説明では、図１ないし図３に示す第１例と図４ないし図６に示すものとは、別個のものとして説明したが、１つの本体部１に対して、両方の例を含めた構成としても良い。すなわち、１つの本体部１が第１例及び第２例の機能実行に必要な構成を備え、セキュリティキー１０を装着するかあるいは近づけるかのいずれかを行えば、本体部１が操作可能状態に移行するようにしても良い。
【００２５】
【発明の効果】
この発明によれば、セキュリティキーを装着した時、又はセキュリティキーが近くにある時しか操作出来ないので、例えば本体を置き忘れたような場合でも、セキュリティキーを一緒に置き忘れなければ内部記憶情報が不当に流出することがない。それ故、セキュリティ性を向上できる。
【図面の簡単な説明】
【図１】この発明の一実施形態であるＰＤＡの平面図である。
【図２】同実施形態ＰＤＡを構成する本体部の回路構成を示すブロック図である。
【図３】同実施形態ＰＤＡを構成するセキュリティキーの回路構成を示すブロック図である。
【図４】この発明の他の実施形態ＰＤＡの平面図である。
【図５】同実施形態ＰＤＡを構成する本体部の回路構成を示すブロック図である。
【図６】同実施形態ＰＤＡを構成するセキュリティキーの回路構成を示すブロック図である。
【符号の説明】
１        本体部
１ａ      主制御部
２        表示部
３        操作部
４        セキュリティキー装着部
５        ＲＯＭ
６        ＲＡＭ
６ａ      内部情報記憶部
７        データ受信部
８        内部電源
９        電力供給部
９ａ      電波発信部
１０      セキュリティキー
１１      ＩＣタグ
１２      電力受給部
１３      ＣＰＵ
１４      データ記憶部
１５      データ送信部
１６      電波受信部
１７      内部電源生成部
【図１】
2004220482.tif 000003
【図２】
2004220482.tif 000004
【図３】
2004220482.tif 000005
【図４】
2004220482.tif 000006
【図５】
2004220482.tif 000007
【図６】
2004220482.tif 000008